(57)【要約】  与えられるべきコンテンツを受け取るステップ、１以上の効果装置を制御するための増強データを受け取るステップ、第１の装置においてコンテンツを与えるステップ、与えられているコンテンツに同期する増強データに従い（各）効果装置を制御するステップ、増強データの同期を監視するステップ、及びもし増強データの同期が疑わしいと決定されるなら１以上の効果装置の制御を調整するステップを含む装置のシステムの操作方法。
2010511315.tif 000002
【特許請求の範囲】
【請求項１】
与えられるべきコンテンツを受け取るステップ、
１以上の効果装置を制御するための増強データを受け取るステップ、
第１の装置においてコンテンツを与えるステップ、
与えられているコンテンツに同期する増強データに従い（各）効果装置を制御するステップ、
増強データの同期を監視するステップ、及び
もし増強データの同期が疑わしいと決定されるなら１以上の効果装置の制御を調整するステップ
を含む装置のシステムの操作方法。
【請求項２】
与えられるべきコンテンツは、ビデオストリームを含み、第１の装置は、表示装置を含む請求項１による方法。
【請求項３】
もし増強データの同期が疑わしいと決定されるなら１以上の効果装置の制御を調整するステップは、１以上の効果装置の制御の停止を含む請求項１又は２による方法。
【請求項４】
もし増強データの同期が疑わしいと決定されるなら１以上の効果装置の制御を調整するステップは、増強データの部分のみに従い選択的に１以上の効果装置を制御
する事を含む請求項１又は２による方法。
【請求項５】
もし増強データの同期が疑わしいと決定されるなら１以上の効果装置の制御を調整するステップは、与えられた効果の強さを下げるように１以上の効果装置を制御
する事を含む請求項１又は２による方法。
【請求項６】
もし増強データの同期が疑わしいと決定されるなら１以上の効果装置の制御を調整するステップは、増強データに従い作られた効果の継続時間を調整するように１以上の効果装置を制御する事を含む請求項１又は２による方法。
【請求項７】
増強データの同期を監視するステップは、信頼因子を計算するサブステップを含み、もし信頼因子が所定の閾値より下に落ちるなら、増強データの同期は疑わしいと決定される請求項１又は２による方法。
【請求項８】
コンテンツを与えるように配置された第１の装置、
１以上の効果装置、及び
（各）効果装置を制御するために増強データを受け取り、与えられているコンテンツに同期する増強データに従い（各）効果装置を制御し、増強データの同期を監視し、及びもし増強データの同期が疑わしいと決定されるなら１以上の効果装置の制御を調整するように配置された制御装置
を含むシステム。
【請求項９】
与えられるべきコンテンツはビデオストリームを含み、第１の装置は表示装置を含む請求項８によるシステム。
【請求項１０】
もし増強データの同期が疑わしいと決定されるなら１以上の効果装置の制御を調整する時、制御装置は１以上の効果装置の制御を停止するように配置された請求項８又は９によるシステム。
【請求項１１】
もし増強データの同期が疑わしいと決定されるなら１以上の効果装置の制御を調整する時、制御装置は、増強データの部分のみに従い選択的に１以上の効果装置を制御するように配置された請求項８又は９によるシステム。
【請求項１２】
もし増強データの同期が疑わしいと決定されるなら１以上の効果装置の制御を調整する時、制御装置は、与えられた効果の強さを下げるため、１以上の効果装置を制御するように配置された請求項８又は９によるシステム。
【請求項１３】
もし増強データの同期が疑わしいと決定されるなら１以上の効果装置の制御を調整する時、制御装置は、増強データに従い作られた効果の継続時間を調整するため、１以上の効果装置を制御するように配置された請求項８又は９によるシステム。
【請求項１４】
制御装置は、増強データの同期の監視時、信頼因子を計算するように配置され、制御装置が信頼因子が所定の閾値より下に落ちたと決定する時、増強データの同期は疑わしいと決定される請求項８又は９によるシステム。
【発明の詳細な説明】
【技術分野】
【０００１】
本発明は、一連の装置を含むシステム及びそのシステムを操作する方法に関する。
【背景技術】
【０００２】
娯楽世界における発達は、ユーザーの主たる娯楽経験に加えて追加的効果を提供する増強システムの創造に導いた。この例は、表示装置により提供され、オーディオ装置に接続され、及び周囲環境にある他の装置により増強されたフィルムである。これらの追加的装置は例えば、フィルムの内容と一致して制御される照明装置又は温度装置であってもよい。もし場面が、フィルム中で水中を示されるなら、追加的照明は、青い周囲環境を提供でき、且つ部屋の温度を下げるためにファンが動作する。
【０００３】
プロジェクトamＢＸ（www.amBX.com参照）は、コンテンツ経験を促進できる効果の記述が可能なスクリプト技術を開発している。要するに、amＢＸは、促進された経験の高レベル記述を記述するためのマークアップ言語の形である。スクリプトから、amＢＸエンジンは、ユーザー環境の異なる位置にある装置用の低レベル入力を含む情報を作る。amＢＸエンジンは、この入力を効果装置へ伝え、効果装置は、この入力でそれらのアクチュエータを操縦する。同時に、特定位置の増強装置の種々のアクチュエータの出力は、それらの位置についてのamＢＸスクリプトにより記述された促進された経験を作る。
【０００４】
テレビ鑑賞のような活動に関するユーザー経験は、来るべき未来において家庭映画のようなシステムのためのamＢＸの導入と共に変化するであろう。マルチメデイアシステムにおけるそのような増強に関する１つの問題は、ユーザーがアクセスしている元のコンテンツと追加効果との正しい同期である。上の例において、水中場面に増強効果を与える青い照明及び冷却ファンは、元のフィルム中の正しい場面と正しく同期されなければならない。
【発明の概要】
【発明が解決しようとする課題】
【０００５】
スクリプト再生（効果装置を制御する）及びビデオ再生の同期の制御に使用可能な１つの技術は、指紋法である。この文脈においては、指紋法は、配信ビデオ内のある要素の同一確認に関係する。指紋をビデオに加えることができ、又は指紋は、フレームの平均輝度若しくは特定画素の色等のようなビデオの幾つかの既に存在する性質に基づくことができる。指紋法技術をスクリプトとビデオの再生の同期に使う際に、この技術により与えられた時間価値の精度は、良き同期を得るために重要である。時間価値の精度は、種々の指紋の識別能力の違いにより又は同じコンテンツ内の多数の類似の指紋が起きることにより時間と共に変化する。これにより正しくない時間価値が同期に使われる可能性がある。もしこれが起きれば間違い効果が再生／与えられる可能性がありユーザーにとって不正確で混乱する経験を示す結果となる。
【０００６】
同期における困難のもう１つの可能な源は例えば、構成されたビデオ及びオーディオコンテンツとして提供されたフィルムとの関係において起きえる。そこではテレビ放送、ケーブル送信又はＤＶＤのような異なる地域及び異なる媒体のために作られてきた同じフィルムの数バージョンが本当に、存在しうる。これらのバージョンは、例えば、特定の地域での検閲要求を満足させるためにたぶん５秒分の除去により短くされた場面について互いに僅かにのみ異なる可能性がある。映画フィルムは又、封切り時のフィルムに場面カット部分を間に加えて、元の劇場公開のものより長いバージョンでＤＶＤに行く事がますます共通になっている。特定のフィルムのための効果を定義するスクリプトは、僅かに異なるフィルムのバージョンに元来同期可能であるので、これらのこと全ては、コンテンツへの増強効果の同期を１００％保証することを難しくする。
【課題を解決するための手段】
【０００７】
本発明の目的は、既知の技術を改良する事である。
【０００８】
本発明の第１の面によれば、与えられるべきコンテンツを受け取るステップ、１以上の効果装置を制御するための増強データを受け取るステップ、第１の装置においてコンテンツを与えるステップ、与えられているコンテンツに同期する増強データに従い（各）効果装置を制御するステップ、増強データの同期を監視するステップ、及びもし増強データの同期が疑わしいと決定されるなら１以上の効果装置の制御を調整するステップを含む装置のシステムの操作方法が提供される。
【０００９】
本発明の第２の面によれば、コンテンツを与えるように配置された第１の装置、１以上の効果装置、及び（各）効果装置を制御するために増強データを受け取り、与えられているコンテンツに同期する増強データに従う（各）効果装置を制御し、増強データの同期を監視し、及びもし増強データの同期が疑わしいと決定されるなら１以上の効果装置の制御を調整するように配置された制御装置を含むシステムが提供される。
【００１０】
本発明により、もし同期が適切に機能していないと信じる理由が有ることが計算されれば、追加効果の同期を監視し且つシステムの操作を調整するビデオストリームのような増強コンテンツのためのマルチメディアシステムを提供することは可能である。そのシステムは、同期時間情報の正確性に基づき、効果の力学に適合を提供する。
【００１１】
本発明は、amＢＸシステムの延長として使用可能である。amＢＸが、家庭での映画鑑賞に用いられる状況は、それの特定の応用である。
【００１２】
もし増強データの同期が疑わしいと決定されるなら、好ましくは、１以上の効果装置の制御を調整するステップは、１以上の効果装置の制御を停止するサブステップを含む。これらの機会に増強データ及びコンテンツの同期を止めることは可能で、又はこれらの状況においてスクリプトを全然上演しない事を決定する事さえ可能である。
【００１３】
他の実施例において、万一時間的整合の正確さについて大いなる不確実性があるなら、本システムは、上演効果の強度／力学を下げる事又は幾つかの効果（例えば強調効果）の付与を停止する事を提案する。本システムは、増強データの部分にのみ従い効果装置を選択的に制御でき、又増強データに従い作られた効果の継続時間を調整するように効果装置を制御できる。
【００１４】
提案された解決法に記述されたような如何なる活動をも実行できるように、同期システムにより与えられたように時間価値の信頼性の指標を与える情報が利用できる事が必要である。この情報を「信頼因子」と呼ぶことができ、これは種々の指標を用いる計算の結果である。因子計算はこれらの入力に限られないのだが、入力を与えることができる指標は：時間価値の識別能力；時間価値の確率；時間価値の弱点比率；時間価値の時間輝度差比；及び同期指標である。
【００１５】
第１の因子「時間価値の識別能力」は、選ばれた時間価値内に結果的に表れるビデオストリーム内に発見される指紋の独特さに関係する。第２の因子「時間価値の確率」は、選ばれた時間価値が正しいものであるという機会を意味する。第３の因子「時間価値の弱点比率」は、指紋の全ビット数に関して弱い（転換点又は許容誤差近く）この時間価値に属する指紋のビット数である。第４の因子「時間価値の時間輝度差比」は、時間価値に使用された連続フレームとフレーム数との間の時間輝度差を意味する。第５の因子「同期指標」は、同期レベルについての情報である。
【００１６】
コンテンツ内現位置により計算された時間価値の信頼因子を、大いなる不確実性が有るかないかを決定する際に使用できる。もしこの信頼因子がある閾値レベルより下に落ちるなら、付与システムは、あるタイプの効果（例えば、非常な動的効果又は大きい強調効果）はもはや付与しない事を知らされ得る。多閾値レベルを用いることができる。
【００１７】
信頼因子がその閾値より下にある時、例えば「延長層」は与えられない実施例を作ることも又可能である。これは、増強効果を定義するデータがベース層と延長層を含む事を意味する。増強効果を定義するデータがベース層と延長層を含む事ができるので、ベース層は与えられなければならない効果を含み、延長層はより複雑であるが選択的であると考えられる効果を含む。この実施例において、同期が疑わしいと検出されるときに、増強延長層は与えられない。制御装置は、効果装置の制御中に延長層を使わない。
【００１８】
もう１つの選択肢は、特定タイプの全ての効果、例えば騒音振動装置（それは例えば椅子を通して振動を与える）を止めるものであり得る。というのは、それらは、正しい時間に来ない時、即ち配信されたコンテンツの正しい点で同期が取れていない時非常に困惑させられるように見えるからである。使うことができるもう１つの可能な変化は例えば、より少ない動的変化を与えるためにより長く色あせ変化を起こすことができる事である。効果のコンテンツへの同期が外れているなら、システムのユーザーに気づかれにくい最終結果を与えるために、効果の持続時間は変えられる。
【００１９】
本発明の利点は、共時性が保証されない場合に、大きい不一致は表れないように効果の付与を適合できる事である。これはユーザーにとってより良い経験という結果となり、家庭映画製品のより良い受け入れという結果となる。
【００２０】
以下の延長も又、基本実施例に提案され得る。
与えられるか又は与えられない効果のタイプについて決定するために多くの閾値レベルを定義するようにシステムを適合できる。増強データ中の多延長層を明らかにデータ内で、又はリアルタイムで制御装置により定義できる。同期化の欠如の感知された程度に依存し、層の異なる感知程度を効果装置の制御に用いることができる。
【００２１】
もし信頼因子が用いられ、最も低いレベルより下に落ちるなら、システムを又、全体で増強の付与の停止を決定することにより適合でき、例えばリアルタイムコンテンツ分析要素は、ユーザーに与えられる実コンテンツに基づき増強のあるレベルを与えるために効果装置の制御を引き継ぐことができる。
【００２２】
添付の図面を参照して、ほんの一例として、本発明の実施例が記述される。
【図面の簡単な説明】
【００２３】
【図１】装置のシステムの略図である。
【図２】マルチメディア家庭娯楽システムの上平面図である。
【図３】図２のシステムの装置の相互接続を示す略図である。
【図４】ビデオコンテンツ及び関係増強データの図である。
【図５】システム操作の方法のフローチャートである。
【発明を実施するための形態】
【００２４】
図１は、家庭娯楽配置１０を示し、それは、デジタルテレビ受信器１２、表示装置１４及びコンピューター１６を含む。送信器１８は、デジタルテレビ信号を受信器１２に送信する。受信器１２は、信号を復号化し、表示要素を表示装置１４に通すように構成される。コンピューター１６は又、デジタル受信器１２から出力を受け取る。コンピューター１６は、インターネット２０に接続され、データベース２４に接続されるサーバー２２と通信できる。
【００２５】
配置１０は、図２により詳細に示される装置を更に含む家庭娯楽システムを定義する。システムのユーザーは、送信器１８から受信器１２に放送されるフィルムを見ることができる。フィルムのコンテンツは、表示装置１４により与えられる。コンピューター１６は、インターネット２０を通りサーバー２２への接続を管理する。コンピューターは、ユーザーにより見られるフィルムに関係するデータベース２４からの増強データを得る。
【００２６】
図１に示されるシステムは、増強システムを如何に構成でき、使うことができるかの１例のみを示す。配置１０は、実際外部接続を持たず、全てのコンテンツ及びデータを局部的に獲得できる。例えば、表示装置１４に接続されたＤＶＤプレーヤー付きＤＶＤに保存されたフィルムをユーザーは見ることができ、コンピューターは、既に局所的に保存されたフィルムに必要な増強データを持つことができ、又はこのデータは、フィルムが上演されるＤＶＤから利用可能である。それにもかかわらず、そのシステムは広範な種々の源からコンテンツ及び増強データを配布する柔軟性を持っているので、図１に示されるシステムは、最も共通的である蓋然性が強い。
【００２７】
図２は、配置１０をより詳細に示す。図２は、家の主リビングルームのような配置を見下ろす上平面図である。配置１０は、ホテルの部屋（の部分で）あり得、又はバー等のような公共空間であり得る。配置１０は、受信器１２、表示装置１４及びコンピューター１６を含む。ユーザーは、送信器１８からデジタル受信器１２により受け取られたフィルムを上演する表示装置１４を見ることができる長いす２６を有する。
【００２８】
上述の装置に加えて、その配置は、表示装置１４上に示されるフィルムの増強を与えるために使用される多くの効果装置を提供する。これらの装置は、スポットライト２８、周囲拡散光３０、（振動を与える）騒音振動装置３２、暖房装置３４及び冷房装置３６（ファン）である。これらの効果装置は、追加構成要素をユーザーのマルチメディア経験に提供するように設計され、各々コンピューター１６に無線で接続される。効果装置の異なる組み合わせを図２に示されるシステムで使うことができる。これはユーザーの要求に関係して、システムの設置に依存する。効果装置の位置及び数は全て、ユーザーが構成できる。
【００２９】
図２のシステムは、コンテンツを与えるように配置された第１の装置（表示装置１４である）、効果装置２８から３６、及びコンピューター１６である制御装置を含む。制御装置１６は、各効果装置を制御する増強データを受け取るように配置され、与えられるコンテンツに同期する増強データに従い効果装置を制御する。
【００３０】
部屋１０の周りの効果装置を制御する制御装置１６により使われる増強データを種々の異なる方法で定義できる。その増強データは高度に一般化可能で、そのデータを解釈するため制御装置１６による複雑な処理を要し、又はパラメータ及び特定の装置タイプに関する詳細命令を用いて非常に特定的で有っても良く、又はこれら２つの極端のどこか中間であっても良い。例えば、もし増強データが水面下であるフィルム中の場面に関係するなら、増強データは、構成要素「水」及び「冷たい」を含むことができ、又は１０度Ｃ及び青色のためのＲＧＢコードのような特定の温度値を含むことができる。もし制御装置１６が、構成要素「水」及び「冷たい」を受け取るなら、フィルム中の表示場面を増強する周囲環境を提供するように操作されるべき効果装置についての特定の作動値に解釈されなければならない。増強データは又、メタデータを含むことができる。例えば、増強データが層状に（ベース層及び１以上の延長層で）与えられる実施例において、各増強データ片は、それが属する層についての情報を含む。
【００３１】
起きる増強の全ては、第１の装置１４（マルチメディア娯楽システムの主装置）により与えられるコンテンツと正しく同期しなければならない。一般に、増強データは、特定の効果が与えられた時に特定の時間に関係するか又はある時間周期に亘り起こるより多くの効果の開始時刻及び終了時刻に関係する時刻印を含む。これらの時刻印は、コンテンツに適合しなければならない。上述の通り、効果のコンテンツとの同期は、本質的に不確実性を受けやすい。フィルムの開始のような絶対値から計算される効果が与えられるべき時間を述べるシステムがたとえ使われても、このシステムは、動作システムを配る事に関し、常には信頼され得ない。これは広告の挿入のような事だからであり、及び検閲理由の場面削除は、フィルム場面のタイミングで間違いを受けやすくするからである。
【００３２】
増強効果がフィルムの場面と同期する１つの方法は、それが表示装置１４により示されるようにフィルムを監視する事である。図３は、このように操作される図２のシステムを構成する構成要素を示す。元のコンテンツ３８は、図に視聴覚情報を意味する「ＡＶ」として示される受信器１２により受け取られる。コンテンツ３８は、第１装置１４により与えられ、又コンピューター１６である制御装置１６に通される。
【００３３】
視聴覚コンテンツ３８は、コンピューター１６により分析される。これは多くの形を取りうるが、１つの方法は、コンテンツ３８のビデオ部分の連続フレームの各所定ブロックについての平均輝度値の違いを計算する事である。コンテンツ３８の内在データへのアクセスは必要ないので、これは一続きの数を戻し、広範な種々の存在する家庭娯楽構成とともに仕事する利点を有する。計算は、コンテンツ３８のアナログ変換上の制御装置１６により為され得る。従来のデジタルテレビ受信器１２は、為されるべき計算のためにコンピューター１６に供給され得るアナログ出力を有する。
【００３４】
ほどよく長いシーケンスに対する平均輝度値を計算するために、ひとたび十分長いフレームの流れが使用されると、このデータは、インターネット２０を介しサーバー２２（図１）に送付可能である。サーバー２２は、このシーケンスをデータベース２４に保存された値と比較し、表示装置１４により示されるフィルムの同一確認にこれを使用する。そのフィルムの増強データ４０をコンピューター１６に戻し送信できる。この設定の利点は、サーバー２２が制御装置１６により送られたデータからコンテンツを同一確認できる限り、種々のプロバイダーは分離され、且つ配置１０におけるユーザーは実際上如何なる源から提供される実質上如何なるコンテンツについての増強データ４０であろうとも得ることができる事である。
【００３５】
サーバー２２により戻し送付された増強データ４０は、を種々の効果装置を制御するように使うための制御装置１６用の命令を含む。上述のように、これらの命令を一般化でき、又は高度に特定化できる。それら命令は又、時刻印であってもよい同期情報を含まなければならないか、又はデータ４０が増強効果を作るために使われる時増強データ４０の部分に同期されるべきコンテンツ３８のフレームの輝度値であっても良い同期情報を含まなければならない。
【００３６】
例えば、増強データ４０は、以下に述べる構成要素を含むことができる：
40-158-52-73-80  「爆発」「熱」
５つの数値の最初の一続きは、フィルム中の火山を示す場面に同期されたフィルムの５つの連続フレームの平均輝度値に言及する。「爆発」及び「熱」を含む第２部分は、この効果を与える種々の効果装置を制御するための制御装置１６により使用されるべき実際の増強データである。この例において、増強データは非常に一般化され、制御装置１６は、特定効果装置に送るための特定装置命令を作る必要がある。この場合、これらの命令は、騒音振動装置３２に短い激しい振動を作るための命令、暖房装置３４に熱い空気を送るための命令、周囲拡散光３０に赤とオレンジ光の変化するパターンを放射する命令であっても良い。マルチメディア娯楽システムにおいてこの効果は一緒に、ユーザーに増強効果を提供する。
【００３７】
評価されるように、第１装置１４により与えられるコンテンツに対する効果装置の正しい同期は、ユーザーの娯楽に非常に重要である。そういうわけで、制御装置１６は、増強データ４０の同期を監視するように構成され、もし増強データの同期が疑わしいと決定されるなら、１以上の効果装置の制御を調整するように構成される。制御装置１６により同期を監視できる多くの方法がある。制御装置１６は、信頼因子を計算でき、もし信頼因子が所定閾値より下に落ちるなら増強データ４０の同期は疑わしいと決定できる。システムの実施に従い、この信頼因子は、単一又は多変数に基礎を置くことができる。
【００３８】
上の例増強データにおいて、制御装置１６は、これらの値と同期する効果装置の引き金をひくために、平均輝度値40-158-52-73-80を探す。しかし、元の送信器１８からの通信チェーンで起きる分散の可能性のような処理中に起きる不可避誤差により、制御装置１６が一致が有るかどうかを計算するとき、計算された輝度値中のある許容誤差は受容される。この許容誤差は、５％か、又は+/-2のような数字であり得る。これは、もし制御装置１６が平均輝度値40-158-50-72-80のシーケンスを計算するなら、これは、増強データ４０から由来する命令を持った効果装置の引き金をひくために望まれる40-158-52-73-80への十分良い適合であると考えられる事を意味する。
【００３９】
コンテンツ３８のビデオ部分のフレームの輝度値を監視している間に、制御装置１６は、信頼因子を計算するために検出された誤差を使うことができる。これは、期待値から５フレームを越える全誤差のような期待値からの計算された分散であるかも知れない。40-158-52-73-80が期待される（又は探される）時計算値が40-158-50-72-80である場合、全誤差は+/-3（52が期待される所に50、足す73が期待される所に72）である。８までの誤差は、増強データ４０の引き金としての使用が許されると考えられる。もしこの誤差が、許容を越えるなら、システムは、増強データ４０の同期は疑わしいという状態を入れる。
【００４０】
一度制御装置１６が、コンテンツ３８に対する増強データ４０の同期は疑わしい事を検出すると、到達したこの状態に応答して、１以上の効果装置の制御を調整する措置が取られる。応答に対し引き受けられた実際の手段は、多くの異なる形で有りうる。選ばれた手段は又、同期についての疑いの感知レベルの性質に依存する（事実上期待された計算からの測定誤差に基づいて）。
【００４１】
もし増強データ４０の同期は疑わしいと決定されるなら、効果装置の制御の調整の最も単純なバージョンは、１以上の効果装置の制御の停止を含む。これは増強システムの全ての効果装置の操作の全面的休止であるか又は、もし間違った時間にそれらが活動的になるのであれば、最も大きい困惑要素を持つ事を感知される騒音振動装置３２のようなある装置のみの停止であり得る。
【００４２】
増強データ４０の同期は疑わしいと決定される時、効果装置の制御の調整の第２選択肢は、増強データの部分のみに従う１以上の効果装置の選択的制御を含む。これは、増強データ４０の分割が為され、データ４０が１以上のグループに分割される事を意味する。この分割は、制御装置１６に与えられた状態のデータ４０に内在する性質かも知れず、又はリアルタイムで制御装置１６により作られた可能性もある。図４は、時間経過によるビデオ信号の概念図で、垂直線で場面の開始及び終了のような特定の出来事又は上述の火山爆発のようなオンオフイベントを示す。
【００４３】
ビデオ信号の下は、制御装置１６に与えられた増強データ４０を含むスクリプト１および２を示す分離部分である。これらのスクリプトは、例えば増強データ４０を構成するＸＭＬ文書であり得る。第１スクリプト１は、ビデオコンテンツ３８の特定点と一致するように設計され、星で示される種々のオンオフイベントの増強データを定義する。第２スクリプト２は、ビデオを構成するフィルムの全体場面と同期されるように設計され、矢印で示される更なる増強データを定義する。
【００４４】
コンテンツに対する効果の同期は疑わしいという検出に対する応答が、増強データ４０の部分のみに従う効果装置を選択的に制御することである場合、スクリプト１は、制御装置１６により落とされ、スクリプト２のみが効果装置の制御に使用される。これはスクリプト２で定義されたデータが時間により鈍感で、正しくない同期がユーザーにより気付かれる可能性がより少ない。スクリプト１の増強データにより定義された効果は、場面変化のようなビデオ信号により定義されたフィルムの特定のイベントに非常に近接的に同期されるように設計される。そのような効果は、もし正しくなく同期されると、ユーザーは非常に困惑させられる。
【００４５】
増強データ４０の同期は疑わしいと決定される時、１以上の効果装置の制御の調整は、与えられた効果の強さを下げるように１以上の効果装置を制御することを含むことができる。例えば、もし与えられた効果が経験上間違いの時間に感知されると、ユーザーの困惑を減らすために、制御装置は、幾つかの又は全ての与えられた効果の調子を下げることができる。例えば照明効果については、制御装置１６は、効果の強さを減らすことができる。
【００４６】
もし増強データの同期が疑わしいと決定されるなら、１以上の効果装置の制御を調整する時、制御装置１６が効果を変えることができるもう１つの方法は、増強データ４０に従い作られた効果の継続時間を調整するように１以上の効果装置を制御することを含むことができる事である。これは、フィルムの場面に伴うように使われる周囲光色のような効果が、元々意図されたよりも長い時間周期占有するよう延長される事を意味するかも知れない。これは、起きている同期中の如何なる誤差をもカバーするように試みる。効果の継続時間の変化は、２つの先の分離効果を合わせるように使用可能なので、例えば、フィルムとの同期が正しくない時に非常に目立つ突然の色変化よりもむしろ、赤照明から青照明への変化を１から他への色あせとして制御できる。
【００４７】
制御装置１６が、同期は疑わしいと検出する時、効果装置の制御に関係する制御装置１６により為された決定は組み合わせ可能である。幾つかの効果は一緒に落とすことが可能で、幾つかの装置は停止が可能で、一方他の効果は時間内に延長され又は、そうでなければ短く強いバーストを有したであろう効果をたぶん次第に強く及び弱くするように、他の効果の強さは調整される。増強データ４０の元のコンテンツ３８に対する同期が疑わしい時作られた効果の力学は、制御装置１６により変えられる。
【００４８】
図５は、本発明の実施例により操作された時、システムにより取られるステップを要約する。装置のシステムを操作する方法は、与えられるべきコンテンツ３８を受け取るステップ（ステップ５０）、１以上の効果装置２８から３６を制御するための増強データ４０を受け取るステップ（ステップ５１）、第１装置１４でコンテンツ３８を与えるステップ（ステップ５２）、与えられているコンテンツに同期する増強データ４０に従い（各）効果装置２８から３６を制御するステップ（ステップ５３）、増強データ４０の同期を監視するステップ（ステップ５４）、及びもし増強データ４０の同期が疑わしいと決定されるなら、１以上の効果装置の制御を調整するステップ（ステップ５５）を含む。
【図１】
2010511315.tif 000003
【図２】
2010511315.tif 000004
【図３】
2010511315.tif 000005
【図４】
2010511315.tif 000006
【図５】
2010511315.tif 000007
【国際調査報告】
2010511315.tif 000008
2010511315.tif 000009